(57)【要約】      （修正有）【課題】全て断熱材質で形成されるため熱くならず、快適に使用可能なティーセット装置を提供する。【解決手段】ティーセット装置は、一式のティーポット及び少なくとも１つのティーカップを備える。ティーポットはポット本体２１及び第一取っ手部２４を有し、ポット本体には注ぎ口及びポット開口部が設けられる。ポット開口部は蓋本体部及び第二取っ手部を有する上蓋２２により蓋をされる。ティーカップはカップ本体及びベースを有する。ティーポットのポット本体、上蓋の蓋本体部、及びティーカップのカップ本体はセラミック材質であり、ティーポット及び上蓋に設けられる第一取っ手部、第二取っ手部、及びティーカップのベースは断熱材質である。【選択図】図２
0003219798.tif 000002
【実用新案登録請求の範囲】
【請求項１】
一式のティーポット及び少なくとも１つのティーカップを備え、前記ティーポットはポット本体を有し、前記ポット本体には注ぎ口及びポット開口部が設けられ、前記ポット開口部は上蓋により蓋をされ、前記ポット本体には第一取っ手部が設けられ、前記上蓋は蓋本体部を有し、前記蓋本体部には第二取っ手部が設けられるティーセット装置であって、
前記ティーポットのポット本体はセラミック材質であり、その上部に第一結合部が設けられ、第一取っ手部は断熱材質であり、その上部に前記ポット本体の第一結合部と互いに固装される第一継合部が設けられ、
前記上蓋の蓋本体部はセラミック材質であり、その上部に第二結合部が設けられ、前記第二取っ手部は断熱材質であり、その一端は前記蓋本体部の第二結合部に固装され、
前記ティーカップはカップ本体及びベースを有し、前記カップ本体はセラミック材質であり、その底部には受け部が設けられ、前記ベースは断熱材質であり、その上部に前記カップ本体の受け部に固装される嵌合部が設けられ
上述の特徴によりティーポットのグリップが提供され、前記上蓋の蓋をする或いは前記ティーカップを取るために用いられ、全て断熱材質で設けられるため熱くならないことを特徴とするティーセット装置。
【請求項２】
前記ティーポットのポット本体の第一結合部は前記ポット本体に柱体として一体成形され、前記第一継合部は前記第一取っ手部の嵌め込み溝に設けられ、前記柱体に緊合されて一体となることを特徴とする請求項１に記載のティーセット装置。
【請求項３】
前記上蓋の蓋本体部の第二結合部は前記第二取っ手部の一端を緊合させて一体とする嵌合口であることを特徴とする請求項１に記載のティーセット装置。
【請求項４】
前記ティーカップのカップ本体の受け部は前記カップ本体の底部の弧状凸部に形成され、前記ベースの嵌合部は前記弧状凸部に緊合されて一体となる盤状溝であることを特徴とする請求項１に記載のティーセット装置。
【請求項５】
前記第一取っ手部、前記第二取っ手部、及び前記ティーカップのベースの断熱材質は木質であり、且つ前記第一継合部と前記第一結合部との間、前記第二取っ手部と前記第二結合部との間、及び前記受け部と嵌合部との間には接着剤が更に設けられ、相互に結合される部材が更に堅固に接合されて一体となることを特徴とする請求項２乃至４に記載のティーセット装置。
【請求項６】
ポット本体を有するティーポットを少なくとも備え、前記ポット本体には注ぎ口及びポット開口部が設けられ、前記ポット開口部は上蓋により蓋をされ、前記ポット本体には第一取っ手部が設けられ、前記上蓋は蓋本体部を有し、前記蓋本体部には第二取っ手部が設けられるティーセット装置であって、
前記ティーポットのポット本体はセラミック材質であり、その上部に第一結合部が設けられ、前記第一取っ手部は断熱材質であり、その上部に前記ポット本体の第一結合部に互いに固装される第一継合部が設けられ、前記上蓋の蓋本体部はセラミック材質であり、且つ第二結合部が設けられ、前記第二取っ手部は断熱材質であり、その一端は前記蓋本体部の第二結合部に固装されることを特徴とするティーセット装置。
【請求項７】
前記ティーポットのポット本体の第一結合部は前記ポット本体に柱体として一体成形され、前記第一継合部は前記取っ手部の嵌め込み溝に設けられ、前記柱体に緊合されて一体となることを特徴とする請求項６に記載のティーセット装置。
【請求項８】
前記上蓋の蓋本体部の第二結合部は前記第二取っ手部の一端を緊合させて一体とする嵌合口であることを特徴とする請求項６に記載のティーセット装置。
【請求項９】
カップ本体及びベースを有する少なくとも１つのティーカップを備え、前記カップ本体はセラミック材質であり、その底部には受け部が設けられ、前記ベースは断熱材質であり、その上部に前記カップ本体の受け部に固装される嵌合部が設けられることを特徴とするティーセット装置。
【請求項１０】
前記ティーカップのカップ本体の受け部は前記カップ本体の底部の弧状凸部に形成され、前記ベースの嵌合部は前記弧状凸部に緊合されて一体となる盤状溝であることを特徴とする請求項１に記載のティーセット装置。
【考案の詳細な説明】
【技術分野】
【０００１】
本考案は、ティーセット装置に関し、更に詳しくは、別種の材質を組み合わせ、ティーポットまたはティーカップを握った際に断熱効果を提供し、手に火傷を負わないようにするティーセット装置に関する。
【背景技術】
【０００２】
お茶を飲むために使用されるティーセット装置は主に一式のティーポット及びティーカップを備える。初期のティーポット及びティーカップは全てセラミック製であり、セラミックの保温特性によりティーポット内で煎じる茶の本来の香りが保たれる。材質及び製造法の進化により、プラスチック製、ステンレス製のティーポット及びティーカップも選択肢として提供されるようになっている。
【考案の概要】
【考案が解決しようとする課題】
【０００３】
しかしながら、前述した従来の技術では、すなわち、プラスチック製のティーポット及びティーカップは高温の液体を容れるには不適格であり、よって、茶葉を淹れるためにはほぼ誰も使用していない。ステンレス製のティーポット及びティーカップは熱の伝導が速いため、茶葉の香りを保てないだけではなく、熱い茶やお湯を飲むためにティーポットの取っ手及びティーカップを握ると手を火傷する危険性もある。そこで、多くの消費者はお茶を淹れるためにはセラミック製のティーポット及びティーカップを使用することを好む傾向がある。しかし、セラミック製のティーポット及びティーカップは保温特性に優れるが、お湯を入れると導熱によりティーポットまたはティーカップが一定程度熱を有し、握って使用する際に熱く感じることがある。
【０００４】
そこで、本考案者は上記の欠点が改善可能と考え、鋭意検討を重ねた結果、合理的設計で上記の課題を効果的に改善する本考案の提案に到った。
【０００５】
本考案は、以上の従来技術の課題を解決する為になされたものである。即ち、本考案は、ティーセット装置を提供することを主目的とする。換言すれば、従来のセラミック製のティーポット及びティーカップは使用上握ると熱く感じるという問題を改善させる。
【課題を解決するための手段】
【０００６】
上記課題を解決するために、本考案のある態様のティーセット装置は、一式のティーポット及び少なくとも１つのティーカップを備える。前記ティーポットはポット本体を有し、前記ポット本体には注ぎ口及びポット開口部が設けられ、前記ポット開口部は上蓋により蓋をされ、前記ポット本体には第一取っ手部が設けられる。前記上蓋は蓋本体部を有し、前記蓋本体部には第二取っ手部が設けられる。前記ティーポットのポット本体はセラミック材質であり、その上部に第一結合部が設けられる。前記第一取っ手部は断熱材質であり、その上部に前記ポット本体の第一結合部に互いに固装される第一継合部が設けられる。前記上蓋の蓋本体部はセラミック材質であり、且つ第二結合部が設けられる。前記第二取っ手部は断熱材質であり、その一端は前記蓋本体部の第二結合部に固装される。前記ティーカップはカップ本体及びベースを有し、前記カップ本体はセラミック材質であり、その底部には受け部が設けられる。前記ベースは断熱材質であり、その上部に前記カップ本体の受け部に固装される嵌合部が設けられる。上述の特徴によりティーポットのグリップが提供され、前記上蓋の蓋をする或いは前記ティーカップを取るために用いられ、全て断熱材質で設けられるため熱くならない。
【０００７】
好ましくは、前記ティーポットのポット本体の第一結合部は前記ポット本体に柱体として一体成形され、前記第一継合部は前記取っ手部の嵌め込み溝に設けられ、前記柱体に緊合されて一体となる。前記上蓋の蓋本体部の第二結合部は前記第二取っ手部の一端を緊合させて一体とする嵌合口である。また、前記ティーカップのカップ本体の受け部は前記カップ本体の底部の弧状凸部に形成され、前記ベースの嵌合部は前記弧状凸部に緊合されて一体となる盤状溝である。
【０００８】
好ましくは、前記第一継合部と前記第一結合部との間、前記第二取っ手部と前記第二結合部との間、及び前記受け部と嵌合部との間には接着剤が更に設けられ、相互に結合される部材が更に堅固に接合されて一体となる。
【考案の効果】
【０００９】
前記ティーセット装置のティーポット及びティーカップの手で握る箇所が断熱材質で設けられるため、お湯や茶葉を淹れる際に、ティーポットの上蓋で蓋をする、ティーポットを握る、或いはティーカップを取る等のいずれの場合でも熱く感じず、快適に使用可能にする効果を達成させる。
【図面の簡単な説明】
【００１０】
【図１】本考案の一実施形態に係るティーセット装置のティーポットを示す斜視の分解図である。
【図２】図１に示す一実施形態のティーポットを示す斜視図である。
【図３】本考案のティーセット装置のティーカップを示す斜視の分解図である。
【図４】図３に示す一実施形態のティーカップを示す斜視図である。
【図５】本考案のティーポットを他の角度から見た断面図である。
【図６】本考案のティーポットを他の角度から見た断面図である。
【図７】本考案のティーカップを示す断面図である。
【考案を実施するための形態】
【００１１】
以下、本開示の実施形態について図面を用いて説明する。なお、本開示は、下記の実施形態に何ら限定されることはなく、本開示の技術的範囲に属する限り種々の形態を採りうる。
【００１２】
本考案のティーセット装置１は、一式のティーポット２及びティーカップ３を備える。前記ティーポット２はポット本体２１及び上蓋２２を有し、前記ポット本体２１には注ぎ口２１１及びポット開口部２１２が設けられ、前記上蓋２２により前記ポット開口部２１２が蓋をされる。前記ポット本体２１はセラミック材質であり、その上部には第一取っ手部２４を結合させるための第一結合部２３が設けられ、前記第一結合部２３は前記ポット本体２１に柱体として一体成形される。第一取っ手部２４は木質の断熱材質であり、その上部には第一継合部２４１が設けられ、これは前記第一取っ手部２４に設けられる嵌め込み溝であり、前記結合部２３（柱体）と緊合されて一体となる。前記上蓋２２は蓋本体部２２１及び第二取っ手部２２２を有する。前記蓋本体部２２１はセラミック材質であり、その上部には前記蓋本体部２２１の嵌合口に一体成形される第二結合部２５が設けられる。前記第二取っ手部２２２は木質の断熱材質であり、その一端は前記蓋本体部２２１の第二結合部２５（嵌合口）に固装され、前記第二取っ手部２２２の一端を緊合させる。また、第一継合部２４１（嵌め込み溝）と前記第一結合部２３（柱体）との間、及び前記第二取っ手部２２２と前記第二結合部２５（嵌合口）との間には接着剤が更に設けられ、これにより相互に結合される部材が更に堅固に接合されて一体となる（図１乃至図７参照）。
【００１３】
前記ティーカップ３はカップ本体３１及びベース３２を有する。前記カップ本体３１はセラミック材質であり、その底部には受け部３１１が設けられ、これは前記カップ本体３１の底部に形成される弧状凸部である。前記ベース３２は木質の断熱材質であり、その上部には前記受け部３１１（弧状凸部）と緊合されて一体となる盤状溝である嵌合部３２１が設けられ、これにより前記カップ本体３１に固装される。同様に、前記受け部３１１と嵌合部３２１とのの間には接着剤が更に設けられ、相互に結合される部材が更に堅固に接合されて一体となる。
【００１４】
以上の説明を総合すると、本考案に係るティーセット装置１のティーポット２及びティーカップ３の手で握る箇所は断熱の木材で設けられるため、お湯や茶葉を淹れる際に、ティーポットの上蓋で蓋をする、ティーポットを握る、或いはティーカップを取る場合にいずれも熱く感じず、快適に使用可能にする効果を達成させる。
【００１５】
以上、本考案の実施形態について図面を参照して詳述したが、具体的な構成はこの実施形態に限られるものではなく、本考案の要旨を逸脱しない範囲の設計変更等も含まれる。
【符号の説明】
【００１６】
１  ティーセット装置
２  ティーポット
３  ティーカップ
２１  ポット本体
２２  上蓋
２３  第一結合部
２４  第一取っ手部
２５  第二結合部
３１  カップ本体
３２  ベース
２１１  注ぎ口
２１２  ポット開口部
２２１  蓋本体部
２２２  第二取っ手部
２４１  第一継合部
３１１  受け部
３２１  嵌合部
【図１】
0003219798.tif 000003
【図２】
0003219798.tif 000004
【図３】
0003219798.tif 000005
【図４】
0003219798.tif 000006
【図５】
0003219798.tif 000007
【図６】
0003219798.tif 000008
【図７】
0003219798.tif 000009